(57)【要約】【課題】被水による封止部材の破壊、防水機能等の低下を低コストで極力防止できるコネクタを提供する。【解決手段】外部に一端が開口された電線引出孔４を有するコネクタハウジング２と、電線引出孔４より外部に引き出された電線Ｗと、電線Ｗの外側に装着され、電線引出孔４の内周面に密着する封止部材１５とを備えたコネクタ１であって、封止部材１５の電線引出側の面１５ａには、水溜り溝部１６が設けられている。【選択図】図２
2016058303.tif 000002
【特許請求の範囲】
【請求項１】
外部に一端が開口された電線引出孔を有するコネクタハウジングと、前記電線引出孔より外部に引き出された電線と、前記電線の外側に装着され、前記電線引出孔の内周面に密着する封止部材とを備えたコネクタであって、
前記封止部材の電線引出側の面には、水溜り溝部が設けられていることを特徴とするコネクタ。
【請求項２】
請求項１記載のコネクタであって、
前記水溜り溝部は、前記電線の全外周に亘って設けられていることを特徴とするコネクタ。
【請求項３】
請求項１又は請求項２記載のコネクタであって、
前記水溜り溝部は、前記電線の外周面に開口され、前記水溜り溝部の内面と前記電線の外周面によって水溜りスペースが形成されていることを特徴とするコネクタ。
【請求項４】
請求項１〜請求項３のいずれかに記載のコネクタであって、
前記水溜り溝部は、前記電線を中心として同心円環状で、且つ、円周状の内周面が電線引出方向と同じ方向に設けられていることを特徴とするコネクタ。
【発明の詳細な説明】
【技術分野】
【０００１】
本発明は、コネクタハウジングの電線引出孔からの水等の侵入を防止できるコネクタに関する。
【背景技術】
【０００２】
この種の従来のコネクタとして、特許文献１に開示されたものがある。このコネクタ５０は、図４に示すように、端子収容室（図示せず）及びこれに連続する電線引出孔５３を有するコネクタハウジング５１と、端子６０及びこれに接続された電線Ｗと、コネクタハウジング５１に装着される防水カバー７１とを備えている。電線引出孔５３は、コネクタハウジング５１の後面に開口している。端子６０は、端子収容室（図示せず）に配置され、電線Ｗは電線引出孔５２内に配置され、電線引出孔５２の開口より外部に引き出される。電線Ｗには封止部材であるゴム栓７０が装着されている。ゴム栓７０は、電線引出孔５２の内周面に密着している。防水カバー７１は、ゴム栓７０の後面を受けるリアホルダ部７１ａを一体に有し、コネクタハウジング５１の後面を覆っている。
【０００３】
コネクタハウジング５１の後面に向かって高圧洗浄水等の高圧水がかけられても、高圧水を防水カバー７１で受けるために、ゴム栓７０には高圧水が直接かかることがない。従って、高圧水によるゴム栓７０の破壊、防水機能の低下を防止できる。
【先行技術文献】
【特許文献】
【０００４】
【特許文献１】特開平１０−２４１７７９号公報
【発明の概要】
【発明が解決しようとする課題】
【０００５】
しかしながら、前記従来例では、コネクタハウジング５１に防水カバー７１を装着するため、部点数の増加、組立作業工程の増加等を招来し、コスト高になるという問題があった。
【０００６】
そこで、本発明は、前記した課題を解決すべくなされたものであり、被水による封止部材の破壊、防水機能等の低下を低コストで極力防止できるコネクタを提供することを目的とする。
【課題を解決するための手段】
【０００７】
本発明は、外部に一端が開口された電線引出孔を有するコネクタハウジングと、前記電線引出孔より外部に引き出された電線と、前記電線の外側に装着され、前記電線引出孔の内周面に密着する封止部材とを備えたコネクタであって、前記封止部材の電線引出側の面には、水溜り溝部が設けられていることを特徴とするコネクタ。
【０００８】
前記水溜り溝部は、前記電線の全外周に亘って設けられているものを含む。前記水溜り溝部は、前記電線の外周面に開口され、前記水溜り溝部の内面と前記電線の外周面によって水溜りスペースが形成されているものを含む。前記水溜り溝部は、前記電線を中心として同心円環状で、且つ、円周状の内周面が電線引出方向と同じ方向に設けられているものを含む。
【発明の効果】
【０００９】
本発明によれば、封止部材の水溜り溝内には水が溜まり、封止部材の電線引出側の面への飛水は、水溜り溝部内に溜まった水に当たるため、封止部材が受ける被水圧力が低下する。このように封止部材のみで防水機能を高めることができる。以上より、被水による封止部材の破壊、防水機能等の低下を低コストで極力防止できる。
【図面の簡単な説明】
【００１０】
【図１】本発明の一実施形態を示し、コネクタの断面図である。
【図２】本発明の一実施形態を示し、（ａ）は図１のＡ部拡大図、（ｂ）は図２（ａ）のＢ矢視図である。
【図３】本発明の一実施形態を示し、封止部材の後面への被水が水溜り溝部内に溜まった水に当る状態を示す概略断面図である。
【図４】従来例のコネクタの分解斜視図である。
【発明を実施するための形態】
【００１１】
以下、本発明の一実施形態を図面に基づいて説明する。
【００１２】
図１〜図３は本発明の一実施形態を示す。図１に示すように、コネクタ１は、コネクタハウジング２と、コネクタハウジング２の前面側に装着されたフロントホルダー（図示せず）とを有し、コネクタハウジング２とフロントホルダーとの間にはパッキン（図示せず）が介在されている。
【００１３】
コネクタハウジング２には、複数の端子収容室３と、各端子収容室３に連続する電線引出孔４が形成されている。端子収容室３は、前面が外部に開口している。電線引出孔４は、後面が外部に開口している。
【００１４】
端子１０は、端子収容室３に配置されている。端子１０には、電線Ｗの一端が接続されている。端子１０が接続された電線Ｗは、電線引出孔４内に配置され、電線引出孔４より外部に引き出されている。電線Ｗの外周には、封止部材１５が装着されている。封止部材１５は、軸芯方向を貫通する電線孔１７を有し、外周面に複数の突部（符号を付さず）が突設された筒形状である。封止部材１５は、例えば弾性変形に富むゴム材より形成されている。封止部材１５は、電線Ｗの外周面と電線引出孔４の内周面に圧縮変形によってそれぞれ密着している。封止部材１５の電線引出側の面（後面）１５ａは、コネクタハウジング２の電線引出側の外面５より露出している。封止部材１５によって、電線引出孔４を通って外部より内部に浸入する水等の浸入を阻止している。
【００１５】
図２（ａ）、（ｂ）に詳しく示すように、封止部材１５の電線引出側の面１５ａには、水溜り溝部１６が設けられている。水溜り溝部１６は、電線Ｗの全外周に亘って設けられている。水溜り溝部１６は、電線Ｗの外周面に開口されている。つまり、水溜り溝部１６は、水溜り溝部１６の内面と電線Ｗの外周面によって水溜りスペースが形成されている。水溜り溝部１６は、電線Ｗを中心とする同心円環状である。水溜り溝部１６は、その円周状の内側面が電線引出方向と同じ方向に設けられている。つまり、図２（ａ）に示すように、断面コ字状の溝形状である。水溜り溝部１６の底面で、且つ、電線孔１７の外周側には、テーパ面１６ａが形成されている。このテーパ面１６ａによって電線Ｗの電線孔１７への挿入が容易とされている。
【００１６】
上記構成において、封止部材１５の電線引出側の面１５ａには、水溜り溝部１６が設けられている。従って、例えば高圧洗浄水の水粒が封止部材１５の電線引出側の面１５ａに向かって飛水すると、その一部は水溜り溝部１６内に入り込む。入り込んだ水は、図３に示すように、水溜り溝部１６内に表面張力（水溜り溝部１６の開口が上面向きの場合には、自重による場合でも良い）によって溜まり水２０として溜まる。すると、その後に、封止部材１５の水溜り溝部１６に向かう飛水は、水溜り溝部１６内の溜り水２０に当たり、封止部材１５には飛水の水圧が直接掛からない。これにより、封止部材１５が受ける被水圧力が低下する。このように、従来例のように防水カバーを用いることなく、封止部材１５のみで防水機能を高めることができるため、部点数の増加、組立作業工程の増加等を招来しない。以上より、被水による封止部材１５の破壊、防水機能等の低下を低コストで極力防止できる。特に、高圧洗浄水等の高圧水を被水する状況において有効な防水機能を発揮できる。
【００１７】
水溜り溝部１６は、電線Ｗの全外周に亘って設けられている。従って、電線Ｗのあらゆる外周に対する飛水に対して、その被水圧力を低下できる。
【００１８】
水溜り溝部１６は、電線Ｗの外周面に開口され、水溜り溝部１６の内面と電線Ｗの外周面によって水溜りスペースが形成されている。従って、電線Ｗの外周面に水が接触した状態で溜り水２０が溜まるため、電線孔１７の外周縁に直接被水することを防止できる。つまり、封止部材１５の電線孔１７の外周縁は、ひび割れ（破壊）の初期発生部位になる可能性が高く、この部位に大きな被水圧力が作用しないため、防止機能の向上を図ることができる。
【００１９】
水溜り溝部１６は、電線Ｗを中心として同心円状で、且つ、円周状の内周面が電線引出方向と同じ方向に設けられている。従って、電線Ｗの全外周には、均一な幅で、且つ、均一な深さの溜り水２０が溜まるため、電線Ｗを中心として全外周の同じ幅領域について、被水圧力をほぼ均一に低下できる。
【００２０】
この実施形態では、水溜り溝部１６は、円環状であるが、水が溜まる形態であれば良く形態はこれに限定されない。
【００２１】
この実施形態では、封止部材１５の電線引出側の面１５ａの一部（外周縁部）を除いて）水溜り溝部１６が形成されているが、電線引出側の面１５ａの全領域に表面張力等によって水溜りスペースができるように水溜り溝部１６を形成しても良い。又、コネクタハウジング２の電線引出孔４の外周面を利用して電線引出側の面１５ａの全領域に表面張力等によって水溜りスペースができるように水溜り溝部１５を形成しても良い。
【符号の説明】
【００２２】
１  コネクタ
２  コネクタハウジング
４  電線引出孔
１５  封止部材
１５ａ  電線引出側の面
１６  水溜り溝部
【図１】
2016058303.tif 000003
【図２】
2016058303.tif 000004
【図３】
2016058303.tif 000005
【図４】
2016058303.tif 000006